(57)【要約】【課題】水汲み作業時にロープが捩れない釣り用水汲みバケツ２の提供。【解決手段】この水汲みバケツ２は、この本体４に連結されている第一ロープ８と、スイベル１０と、第二ロープ１２とを備えている。この第一ロープ８とこの第二ロープ１２とは、このスイベル１０を介して連結されている。好ましくは、このバケツ２では、上記第一ロープ８の長さは、０．８ｍ以上２ｍ以下である。このバケツ２では、本体４の上方において第一ロープ８と第二ロープ１２とがスイベル１０を介して連結されているので、繰り返して水汲み作業が行われても、第一ロープ８及び第二ロープ１２に捩れは生じない。釣り人は、このスイベル１０を把持することにより、その内部が水で満たされた本体４を容易に引き上げることができる。釣り人は、煩わしさを感じることなく、このバケツ２を使用できる。【選択図】図１
2008000107.tif 000002
【特許請求の範囲】
【請求項１】
本体と、この本体に連結されている第一ロープと、スイベルと、第二ロープとを備えており、
この第一ロープとこの第二ロープとが、このスイベルを介して連結されている釣り用水汲みバケツ。
【請求項２】
上記第一ロープの長さが、０．８ｍ以上２ｍ以下である請求項１に記載のバケツ。
【発明の詳細な説明】
【技術分野】
【０００１】
本発明は、釣り用水汲みバケツに関する。
【背景技術】
【０００２】
防波堤、礒等の釣り場で行われる釣りでは、撒き餌の調整、手洗い、撒き餌により汚れた釣り場の洗浄等に水が必要とされる。釣り場は海面よりも高い位置にあるので、釣り人は長尺のロープを備えたバケツで、海水を汲み上げる。
【０００３】
このバケツに備えられるロープは、複数本の紐が撚り合わされて構成される。このロープには、水のしみ込み及び煉り餌等の臭いの残存が防止されるために、その表面に合成樹脂製の塗膜が形成される。このようなロープは水で濡れると滑りやすくなるので、その内部が海水で満たされたバケツの本体をこのロープで手繰り寄せることは困難である。
【０００４】
その表面が水に濡れても、滑ることなくバケツの本体を手繰り寄せることができるロープを備えた水汲み用バケツが、特開平１１−１８７９８１号公報に開示されている。このバケツのロープには、滑り止め部材が設けられている。
【特許文献１】特開平１１−１８７９８１号公報
【発明の開示】
【発明が解決しようとする課題】
【０００５】
ロープが手繰り寄せられてこのバケツの本体が海面から離れるときに、この本体に作用する力により、この本体が水平方向に回転する場合がある。この場合、このロープの、釣り人が把持している箇所は回転しないので、その下側においてロープに捩れが生じる。水汲み作業が繰り返されると、このロープに捩れが集積する。捩れの酷いロープは、絡み合う。釣り人は、この絡み合ったロープを解くことに煩わしさを感じる。
【０００６】
本発明の目的は、水汲み作業時にロープが捩れない釣り用水汲みバケツの提供にある。
【課題を解決するための手段】
【０００７】
本発明に係る釣り用水汲みバケツは、この本体に連結されている第一ロープと、スイベルと、第二ロープとを備えている。この第一ロープとこの第二ロープとは、このスイベルを介して連結されている。
【０００８】
好ましくは、このバケツでは、上記第一ロープの長さは、０．８ｍ以上２ｍ以下である。
【発明の効果】
【０００９】
この水汲み用バケツでは、本体の上方において第一ロープと第二ロープとがスイベルを介して連結されているので、繰り返して水汲み作業が行われても、第一ロープ及び第二ロープに捩れは生じない。釣り人は、このスイベルを把持することにより、その内部が水で満たされた本体を容易に引き上げることができる。
【発明を実施するための最良の形態】
【００１０】
以下、適宜図面が参照されつつ、好ましい実施形態に基づいて本発明が詳細に説明される。
【００１１】
図１は、本発明の一実施形態に係る釣り用水汲みバケツ２が示された正面図である。この水汲みバケツ２は、本体４と、継ぎ手６と、第一ロープ８と、スイベル１０と、第二ロープ１２とを備えている。
【００１２】
本体４は、その内部に水を収容する。この本体４は、収容部１４と、把手部１６とからなる。この収容部１４は、柔軟である。この収容部１４の折り畳みは、容易である。この収容部１４は、底１８と、この底１８の縁から上方に延びる胴体２０とからなる。このバケツ２では、この底１８と胴体２０とは一体である。図示されていないが、この本体４はこの胴体２０の上縁２２に内包されているワイヤーをさらに備えている。このワイヤーは、リング状である。このワイヤーは、この胴体２０の上縁２２の形状を保持しうる。
【００１３】
このバケツ２では、収容部１４は熱可塑性樹脂組成物からなる成形体である。柔軟性及び防水性の観点から、この樹脂組成物の好ましい基材ポリマーとしては、エチレン酢酸ビニル共重合体及びポリ塩化ビニルが例示される。
【００１４】
把手部１６は、ハンドル２４と、一対の固定具２６とからなる。この固定具２６は板状であり、胴体２０の上縁２２の近傍に位置している。この固定具２６の下側は、この胴体２０に取り付けられている。図示されていないが、この固定具２６の上側には貫通孔が設けられている。このバケツ２では、一方の固定具２６と他方の固定具２６とは、互いに向き合って配置される。このハンドル２４は、収容部１４の上側において、左右の固定具２６を架け渡している。このハンドル２４は、その両側及び中央に位置する３のループ２８を備えている。両側に位置するループ２８ａは、左右の固定具２６の貫通孔に掛けられている。このバケツ２では、このハンドル２４は一本のコードからなる。このループ２８は、このコードが折り返されて管状の金属プレート３０で束ねられることにより形成される。
【００１５】
継ぎ手６は、レバースナップ３２と、このレバースナップ３２の上側に位置する回転部３４とを備えている。この回転部３４は、枠体３６と、回転体３８とからなる。この枠体３６は、このレバースナップ３２の上部に固定されている。図示されていないが、この枠体３６の内部は空洞である。この回転体３８は、リング４０と、抜け止め具（図示されず。）とを備えている。この抜け止め具はこの空洞に入れられており、この回転体３８のこの枠体３６からの脱離を防止する。この回転体３８は、この枠体３６に回転自在に連結されている。従って、このリング４０は、水平方向に回転する。この回転部３４は所謂、スイベル１０である。図示されていないが、このレバースナップ３２は、レバーとフックとを備えている。このレバースナップ３２は、このレバーの操作でフックの着脱が達成されうるように構成されている。なお、このバケツ２に、このリング４０がこのレバースナップ３２の上側に固定されて、このリング４０が回転しないように構成された継ぎ手が用いられてもよい。
【００１６】
第一ロープ８は、一本のコードからなる。この第一ロープ８は、その上側及び下側に位置する２のループ４２を備えている。このループ４２は、このコードが折り返されて管状の金属プレート３０で束ねられることにより形成される。
【００１７】
第二ロープ１２は、第一ロープ８よりも長い。この第二ロープ１２は一本のコードからなる。この第二ロープ１２は、その下側にループ４４を備えている。このループ４４は、このコードが折り返されて管状の金属プレート３０で束ねられることにより形成される。図示されていないが、この第二ロープ１２の上側にはこの第二ロープ１２及び第一ロープ８が巻かれる巻き付け部が設けられている。
【００１８】
図２は、図１のバケツ２に用いられているスイベル１０の拡大断面図である。このスイベル１０は、円柱状の枠体４６と、一対の回転体４８とを備える。上下の回転体４８の構成は、同一である。この枠体４６の内部は空洞であり、この枠体４６の上面及び下面には、この空洞とこの枠体４６の外部とを繋げる貫通孔５０が設けられている。この回転体４８は、リング５２と、抜け止め具５４と、このリング５２とこの抜け止め具５４との間に位置するネック５６とからなる。この抜け止め具５４は、この空洞に入れられている。図２に示されているように、この抜け止め具５４はこの貫通孔５０の間口よりも大きい。従って、この回転体４８がこの枠体４６から抜けることはない。このネック５６は、この貫通孔５０を挿通している。このスイベル１０は、このリング５２がこのネック５６を軸として水平方向に回転するように構成されている。
【００１９】
このバケツ２では、第二ロープ１２の下側に位置するループ４４はスイベル１０の上側に位置するリング５２ａに掛けられる。このスイベル１０の下側に位置するリング５２ｂには、第一ロープ８の上側に位置するループ４４が掛けられる。この第一ロープ８と第二ロープ１２とは、このスイベル１０を介して連結されている。従って、この第一ロープ８はこの第二ロープ１２に対して回転自在である。
【００２０】
このバケツ２では、第一ロープ８の下側に位置するループ４４は、継ぎ手６のリング４０に掛けられる。この継ぎ手６のフックは、把手部１６のハンドル２４の中央に位置するループ２８ｂに掛けられる。換言すれば、この第一ロープ８は本体４に連結されている。この継ぎ手６は回転部３４を備えているので、この本体４は第一ロープ８に対して回転自在である。
【００２１】
このバケツ２では、釣り人は、水が必要になると、第二ロープ１２を把持し、本体４が海面に着水するまでこの第二ロープ１２を繰り出す。この本体４が海面に着水するように、この第二ロープ１２が予め充分に繰り出されてから、この本体４が海面に投入されてもよい。釣り人はこの本体４が海面に着水してこの本体４に海水が流入するのを確認すると、第二ロープ１２を手繰り寄せつつこの本体４を引き上げる。この本体４が海面から離れるとき、釣り人は第二ロープ１２を把持する手を通じてこの本体４に収容された海水の重みを感じる。釣り人は、この手の感触で、この本体４が海面から離れたことを認識する。
【００２２】
このバケツ２では、本体４が海面から離れるとき、この本体４に作用する力によりこの本体４が水平方向に回転する場合がある。このバケツ２では、この本体４の上方に継ぎ手６を介して第一ロープ８が位置している。この第一ロープ８の上方には、スイベル１０を介して第二ロープ１２が位置している。この本体４が回転すると、この本体４の回転はまず第一ロープ８に作用する。前述したように、この第一ロープ８はこの第二ロープ１２に対して回転自在である。このため、この本体４の回転が第一ロープ８に伝搬して、この第一ロープ８が回転しても、この第二ロープ１２は回転しない。このバケツ２では、このスイベル１０がこの第二ロープ１２の捩れを防止する。
【００２３】
このバケツ２では、第一ロープ８の上側がスイベル１０に連結されているので、第一ロープ８に本体４の回転が伝搬するとこの第一ロープ８の全体が回転する。このため、この第一ロープ８の上側の回転速度と、この第一ロープ８の下側の回転速度との差は小さい。このバケツ２では、この第一ロープ８に生じる捩れは最小限に抑えられる。このスイベル１０は、この第一ロープ８の捩れも防止する。
【００２４】
このバケツ２では、第一ロープ８の長さが変わると、水汲み時におけるスイベル１０の高さ位置が変わる。このスイベル１０は、この第一ロープ８の長さの調節により、捩れが効果的に抑えられる位置に配置されうる。
【００２５】
前述したように、このバケツ２では、この本体４と第一ロープ８とは回動部を備えた継ぎ手６で連結されている。従って、この本体４は第一ロープ８に対して回転自在である。この継ぎ手６は、この本体４の回転の、第一ロープ８への伝搬を防ぐ。このバケツ２では、水汲みが繰り返されても第一ロープ８に捩れは生じない。
【００２６】
このバケツ２では、第一ロープ８及び第二ロープ１２の捩れが抑えられるので、釣り人がこのバケツ２で繰り返し水汲み作業をしてもこの第一ロープ８及び第二ロープ１２が絡み合うことはない。釣り人は、煩わしさを感じることなく、このバケツ２で水を汲み上げれる。
【００２７】
このバケツ２による水汲みにおいて、釣り人は第二ロープ１２を手繰り寄せた後、スイベル１０を把持する。このスイベル１０は第二ロープ１２の線径よりも太い上に、枠体４６の上下にリング５２を備えた構成とされているので、釣り人はこのスイベル１０を掴みやすい。釣り人は、このスイベル１０をしっかりと把持できる。従って、釣り人はこのスイベル１０を把持することにより、本体４を容易に引き上げうる。このバケツ２では、このスイベル１０は滑り止めとしても機能しうる。
【００２８】
図１において、点Ｐ１は第一ロープ８の上端である。点Ｐ２は第一ロープ８の下端である。点ＰＡはスイベル１０の長手の中心を表している。両矢印線ＬＡは、下端Ｐ２から上端Ｐ１までの長さを表している。この長さＬＡは、第一ロープ８の長さである。両矢印線ＬＢは、本体４の底１８からスイベル１０の長手の中心ＰＡまでの長さを表している。なお、この長さＬＡ及びＬＢはこのバケツ２に荷重がかけられない状態で計測される。
【００２９】
このバケツ２では、この長さＬＡは０．８ｍ以上２．０ｍ以下であるのが好ましい。この長さが０．８ｍ以上に設定されることにより、第一ロープ８及び第二ロープ１２の捩れが効果的に抑えられる。この観点から、この長さは０．９ｍ以上がより好ましく、１．０ｍ以上が特に好ましい。この長さが２．０ｍ以下に設定されることにより、本体４の引き上げの容易さが維持されうる。この観点から、この長さは１．６ｍ以下がより好ましく、１．３ｍ以下が特に好ましい。
【００３０】
このバケツ２では、この長さＬＢは０．９５ｍ以上２．５ｍ以下であるのが好ましい。この長さが０．９５ｍ以上に設定されることにより、第一ロープ８及び第二ロープ１２の捩れが効果的に抑えられる。この観点から、この長さは１．１ｍ以上がより好ましく、１．２ｍ以上が特に好ましい。この長さが２．０ｍ以下に設定されることにより、本体４の引き上げの容易さが維持されうる。この観点から、この長さは１．８ｍ以下がより好ましく、１．５ｍ以下が特に好ましい。
【００３１】
このバケツ２では、第一ロープ８、第二ロープ１２及びハンドル２４は同一のコードからなる。このコードは、複数本の熱可塑性樹脂組成物からなる紐が撚り合わされて構成されている。この樹脂組成物の基材ポリマーとしては、ポリウレタン、ポリオレフィン、ポリ塩化ビニル、ナイロン及びポリエステルが例示される。ポリオレフィンの具体例としては、ポリエチレン及びポリプロピレンが挙げられる。なお、この第一ロープ８、第二ロープ１２及びハンドル２４が異なるコードで構成されてもよい。吸湿防止及び練り餌等の臭いの残存防止の観点から、ポリエチレン、ポリプロピレン等を基材ポリマーとした熱可塑性樹脂組成物からなる塗膜がその表面に形成されたコードが用いられてもよい。
【産業上の利用可能性】
【００３２】
本発明に係る水汲みバケツは、種々の釣りに適用されうる。
【図面の簡単な説明】
【００３３】
【図１】図１は、本発明の一実施形態に係る釣り用水汲みバケツが示された正面図である。
【図２】図２は、図１のバケツに用いられているスイベルの拡大断面図である。
【符号の説明】
【００３４】
２・・・バケツ
４・・・本体
６・・・継ぎ手
８・・・第一ロープ
１０・・・スイベル
１２・・・第二ロープ
１４・・・収容部
１６・・・把手部
１８・・・底
２０・・・胴体
２２・・・上縁
２４・・・ハンドル
２６・・・固定具
２８、２８ａ、２８ｂ、４２、４２ａ、４２ｂ、４４・・・ループ
３０・・・金属プレート
３２・・・レバースナップ
３４・・・回転部
３６、４６・・・枠体
３８、４８・・・回転体
４０、５２、５２ａ、５２ｂ・・・リング
５０・・・貫通孔
５４・・・抜け止め具
５６・・・ネック
【図１】
2008000107.tif 000003
【図２】
2008000107.tif 000004